(57)【要約】      （修正有）【課題】装置を大型化させることなく、搬送路のジャム紙幣の除去の自動化を図る。【解決手段】紙幣入出金機７、接客口１１の分離部１２から鑑別部１６を経て一時保留部１７に至る取込紙幣搬送路と、取込紙幣搬送路の鑑別部１６と一時保留部１７との間で分岐して集積部１３に至る入金リジェクト紙幣搬送路と、一時保留部１７から鑑別部１６を経て集積部１３に至る第１の返却紙幣搬送路とを設け、取込紙幣搬送路および入金リジェクト紙幣搬送路におけるジャム発生検出時には、取込紙幣搬送路および入金リジェクト紙幣搬送路に残留する残留紙幣を集積部１３へ搬送して除去する手段と、残留紙幣の除去後に、分離部１２から１枚の紙幣を繰出して同じ経路を経由して集積部１３へ搬送する第１のクリーニング手段と、一時保留部１７から１枚の紙幣を繰出して第１の返却紙幣搬送路により集積部１３へ搬送して集積する第２のクリーニング手段とを備える。【選択図】図２
2008065563.tif 000002
【特許請求の範囲】
【請求項１】
顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、紙幣を搬送する複数の搬送路とを備えた自動取引装置において、
前記分離部から前記鑑別部を経て前記一時保留部に至る前記搬送路で形成される取込紙幣搬送路と、
該取込紙幣搬送路の前記鑑別部と前記一時保留部との間で分岐して前記集積部に至る前記搬送路で形成される入金リジェクト紙幣搬送路と、
前記一時保留部から前記鑑別部を経て前記集積部に至る前記搬送路で形成される第１の返却紙幣搬送路とを設け、
前記分離部に投入された紙幣を繰出して、前記取込紙幣搬送路により前記一時保留部に搬送して集積しながら、前記鑑別部で入金リジェクト紙幣と鑑別された紙幣を入金リジェクト紙幣搬送路により前記集積部に搬送して集積する紙幣取込処理を実行している場合に、前記取込紙幣搬送路および入金リジェクト紙幣搬送路におけるジャムの発生を検出する手段と、
該ジャムの発生を検出したときに、前記取込紙幣搬送路と前記入金リジェクト紙幣搬送路とを前記集積部の方向に空転させて、前記取込紙幣搬送路および入金リジェクト紙幣搬送路に残留する残留紙幣を、前記集積部へ搬送して除去する手段と、
前記残留紙幣の除去後に、前記分離部から１枚の紙幣を繰出して前記取込紙幣搬送路と前記入金リジェクト紙幣搬送路とにより前記集積部へ搬送して集積するクリーニング手段と、
前記残留紙幣の除去後に、前記一時保留部から１枚の紙幣を繰出して前記第１の返却紙幣搬送路により前記集積部へ搬送して集積するクリーニング手段と、を備えることを特徴とする自動取引装置。
【請求項２】
顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、紙幣を搬送する複数の搬送路とを備えた自動取引装置において、
前記分離部から前記鑑別部を経て前記一時保留部に至る前記搬送路で形成される取込紙幣搬送路と、
該取込紙幣搬送路の前記鑑別部と前記一時保留部との間で分岐して前記集積部に至る前記搬送路で形成される入金リジェクト紙幣搬送路と、
前記一時保留部から前記鑑別部を経て前記集積部に至る前記搬送路で形成される第１の返却紙幣搬送路とを設け、
前記一時保留部に集積されている紙幣を繰出して、前記第１の返却紙幣搬送路により前記集積部へ搬送して集積する紙幣返却処理を実行している場合に、前記第１の返却紙幣搬送路におけるジャムの発生を検出する手段と、
該ジャムの発生を検出したときに、前記第１の返却紙幣搬送路と前記入金リジェクト紙幣搬送路とを前記集積部の方向に空転させて、前記第１の返却紙幣搬送路に残留する残留紙幣を、前記集積部へ搬送して除去する手段と、
前記残留紙幣の除去後に、前記一時保留部から１枚の紙幣を繰出して、前記第１の返却紙幣搬送路により前記集積部へ搬送して集積するクリーニング手段と、
該クリーニング手段により紙幣を前記集積部へ集積した後に、該集積部に集積した紙幣を前記分離部へ移動させる手段と、
該分離部へ移動させた紙幣を、前記分離部から１枚繰出して、前記取込紙幣搬送路と前記入金リジェクト紙幣搬送路とにより前記集積部へ搬送して集積するクリーニング手段と、を備えることを特徴とする自動取引装置。
【請求項３】
顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、紙幣を搬送する複数の搬送路とを備えた自動取引装置において、
前記一時保留部から前記鑑別部を経て前記紙幣収納部に至る前記搬送路で形成される収納紙幣搬送路を設け、
前記一時保留部に集積されている紙幣を繰出して、前記収納紙幣搬送路により前記紙幣収納部へ搬送して集積する紙幣収納処理を実行している場合に、前記収納紙幣搬送路におけるジャムの発生を検出する手段と、
該ジャムの発生を検出したときに、前記収納紙幣搬送路を前記一時保留部の方向に空転させて、前記収納紙幣搬送路に残留する残留紙幣を、前記一時保留部へ搬送して除去する手段と、
前記残留紙幣の除去後に、前記一時保留部から１枚の紙幣を繰出して、前記収納紙幣搬送路により前記紙幣収納部へ搬送して集積するクリーニング手段と、を備えることを特徴とする自動取引装置。
【請求項４】
顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、出金には適さない紙幣と鑑別された紙幣を収納する出金リジェクト紙幣収納部と、紙幣を搬送する複数の搬送路とを備えた自動取引装置において、
前記紙幣収納部から前記鑑別部を経て前記集積部に至る前記搬送路で形成される出金紙幣搬送路と、
該出金紙幣搬送路の前記鑑別部と前記集積部との間で分岐して前記出金リジェクト紙幣収納部に至る前記搬送路で形成される出金リジェクト紙幣搬送路とを設け、
前記紙幣収納部に収納されている紙幣を繰出して、前記出金紙幣搬送路により前記集積部に搬送して集積しながら、前記鑑別部で出金リジェクト紙幣と鑑別された紙幣を、出金リジェクト紙幣搬送路により前記出金リジェクト紙幣収納部に搬送して集積する出金紙幣集積処理を実行している場合に、前記出金紙幣搬送路および出金リジェクト紙幣搬送路におけるジャムの発生を検出する手段と、
該ジャムの発生を検出したときに、前記出金紙幣搬送路を前記集積部の方向に空転させて、前記出金紙幣搬送路に残留する残留紙幣を、前記集積部へ搬送して除去する手段と、
前記出金リジェクト紙幣搬送路を前記出金リジェクト紙幣収納部の方向に空転させて、出金リジェクト紙幣搬送路に残留する残留紙幣を、前記出金リジェクト紙幣収納部へ搬送して除去する手段と、
前記残留紙幣を前記集積部および前記出金リジェクト紙幣収納部へ除去した後に、前記紙幣収納部から１枚の紙幣を繰出して前記出金紙幣搬送路により前記集積部へ搬送して集積するクリーニング手段と、
前記残留紙幣を前記集積部および前記出金リジェクト紙幣収納部へ除去した後に、前記紙幣収納部から１枚の紙幣を繰出して前記出金紙幣搬送路および前記出金リジェクト紙幣搬送路により前記出金リジェクト紙幣収納部へ搬送して集積するクリーニング手段と、を備えることを特徴とする自動取引装置。
【請求項５】
顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、顧客が入金して取引未完了の紙幣を収納する取引未完了取込紙幣収納部と、紙幣を搬送する複数の搬送路とを備えた自動取引装置において、
前記一時保留部から前記鑑別部を経て前記取引未完了取込紙幣収納部に至る前記搬送路で形成される取引未完了取込紙幣搬送路を設け、
前記一時保留部に集積されている紙幣を繰出して、前記取引未完了取込紙幣搬送路により前記取引未完了取込紙幣収納部へ搬送して集積する取引未完了取込紙幣収納処理を実行している場合に、前記取引未完了取込紙幣搬送路におけるジャムの発生を検出する手段と、
該ジャムの発生を検出したときに、前記取引未完了取込紙幣搬送路を前記一時保留部の方向に空転させて、前記取引未完了取込紙幣搬送路に残留する残留紙幣を、前記一時保留部へ搬送して除去する手段と、
前記残留紙幣の除去後に、前記一時保留部から１枚の紙幣を繰出して、前記取引未完了取込紙幣搬送路により前記取引未完了取込紙幣収納部へ搬送して集積するクリーニング手段と、を備えることを特徴とする自動取引装置。
【請求項６】
顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、顧客に出金して顧客が取忘れた紙幣を収納する出金取忘れ取込紙幣収納部と、紙幣を搬送する複数の搬送路とを備えた自動取引装置において、
前記分離部から前記鑑別部を経て前記出金取忘れ取込紙幣収納部に至る前記搬送路で形成される出金取忘れ紙幣搬送路と、
前記分離部に投入された紙幣を繰出して、前記出金取忘れ紙幣搬送路により前記出金取忘れ取込紙幣収納部に搬送して集積する出金取忘れ取込紙幣収納処理を実行している場合に、前記出金取忘れ紙幣搬送路におけるジャムの発生を検出する手段と、
該ジャムの発生を検出したときに、前記出金取忘れ紙幣搬送路を前記集積部の方向に空転させて、前記出金取忘れ紙幣搬送路に残留する残留紙幣を、前記集積部へ搬送して除去する手段と、
前記残留紙幣の除去後に、前記分離部から１枚の紙幣を繰出して前記出金取忘れ紙幣搬送路により前記集積部へ搬送して集積するクリーニング手段と、を備えることを特徴とする自動取引装置。
【請求項７】
請求項１ないし請求項６のいずれか一項において、
前記クリーニング手段が、正常に終了しなかった場合に、前記残留紙幣の除去作業待ち状態で待機する手段を備えることを特徴とする自動取引装置。
【発明の詳細な説明】
【技術分野】
【０００１】
本発明は、金融機関等の店舗に設置された現金自動預払機等の顧客との現金による取引を自動で行う自動取引装置に関する。
【背景技術】
【０００２】
一般に、現金自動預払機に設けられた紙幣入出金機においては、搬送路に設けられた紙幣通過検出センサが、所定の搬送時間で順次に紙幣の通過を検出しないことにより紙幣のジャムの検出を行っている。
また、紙幣のジャムが検出された場合には、現金自動預払機はその運用を中止し、係員によるジャム紙幣の除去作業後に、運用を再開している。
【０００３】
一方、紙幣のジャムの検出を、紙幣通過検出センサによる紙幣の搬送時間で行っている場合には、何らかの要因、例えば搬送路における滑りや、軽度のジャムの発生による紙幣の一時的な滞留により紙幣の通過が遅れたときにも、紙幣のジャムが検出されてしまうことがある。
この場合に、紙幣のジャムが検出される度に現金自動預払機の運用を中止し、係員によるジャム紙幣の除去作業を行うと、現金自動預払機の稼動効率を低下させると共に、係員の負担を増大させるという問題が生ずる。
【０００４】
このような、問題点を解決するために、従来の現金自動預払機は、顧客が投入した紙幣を１枚毎に分離して繰出す分離部、および顧客に引渡す紙幣を集積する集積部を有する接客口と、搬送された紙幣の真偽や正損、金種等を鑑別する鑑別部と、顧客が投入した紙幣を一時保留する金種別一時保留板と、出金に用いる紙幣および／もしくは入金された紙幣を収納する紙幣収納部と、出金には適さない紙幣と鑑別された紙幣を収納する出金リジェクト紙幣収納部と、前記の各部の間を接続して紙幣を搬送する複数の搬送路とを有する紙幣入出金機を備え、出金取引処理における紙幣収納部から接客口の集積部に至る出金紙幣搬送路において、紙幣が紙幣通過検出センサ間を所定の搬送時間以内で通過しないことにより紙幣収納部から繰出された紙幣のジャムを検出し、ジャムが検出された場合に紙幣の搬送を一旦停止させ、出金紙幣搬送路を逆方向に空転させて除去動作を行い、出金紙幣搬送路に残留する残留紙幣を金種別一時保留板上に集積し、全ての残留紙幣が集積されたときに、これらの残留紙幣を各紙幣収納部の近傍に設けたジャム紙幣収納ボックスへ収納して、出金取引処理におけるジャム紙幣の除去の自動化を図っている。
【０００５】
また、除去動作を所定の回数繰り返しても、残留紙幣の全てを集積できない場合には、現金自動預払機の運用を中止して係員によるジャム紙幣の除去作業を行っている（例えば、特許文献１参照。）。
【特許文献１】特開平５−３２４９８４号公報（第５頁段落００３８−第７頁段落００５２、第４図、第５図）
【発明の開示】
【発明が解決しようとする課題】
【０００６】
しかしながら、上述した従来の技術においては、紙幣のジャムを検出した場合に、出金紙幣搬送路を逆方向に回転させ、出金紙幣搬送路の残留紙幣を各紙幣収納部の近傍に設けたジャム紙幣収納ボックスへ収納して、出金取引処理におけるジャム紙幣の除去の自動化を図っているため、紙幣収納部の間にジャム紙幣収納ボックスを設けるスペースを確保しなければならず、紙幣入出金機が大型化し、これが制約となって現金自動預払機を大型化しなければならないという問題がある。
【０００７】
本発明は、上記の問題点を解決するためになされたもので、現金自動預払機を大型化させることなく、ジャムの検出時における搬送路の残留紙幣の除去の自動化を図る手段を提供することを目的とする。
【課題を解決するための手段】
【０００８】
上記課題を解決するために、本発明の請求項１に係る発明は、顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、紙幣を搬送する複数の搬送路とを備えた自動取引装置において、前記分離部から前記鑑別部を経て前記一時保留部に至る前記搬送路で形成される取込紙幣搬送路と、該取込紙幣搬送路の前記鑑別部と前記一時保留部との間で分岐して前記集積部に至る前記搬送路で形成される入金リジェクト紙幣搬送路と、前記一時保留部から前記鑑別部を経て前記集積部に至る前記搬送路で形成される第１の返却紙幣搬送路とを設け、前記分離部に投入された紙幣を繰出して、前記取込紙幣搬送路により前記一時保留部に搬送して集積しながら、前記鑑別部で入金リジェクト紙幣と鑑別された紙幣を入金リジェクト紙幣搬送路により前記集積部に搬送して集積する紙幣取込処理を実行している場合に、前記取込紙幣搬送路および入金リジェクト紙幣搬送路におけるジャムの発生を検出する手段と、該ジャムの発生を検出したときに、前記取込紙幣搬送路と前記入金リジェクト紙幣搬送路とを前記集積部の方向に空転させて、前記取込紙幣搬送路および入金リジェクト紙幣搬送路に残留する残留紙幣を、前記集積部へ搬送して除去する手段と、前記残留紙幣の除去後に、前記分離部から１枚の紙幣を繰出して前記取込紙幣搬送路と前記入金リジェクト紙幣搬送路とにより前記集積部へ搬送して集積するクリーニング手段と、前記残留紙幣の除去後に、前記一時保留部から１枚の紙幣を繰出して前記第１の返却紙幣搬送路により前記集積部へ搬送して集積するクリーニング手段と、を備えることを特徴とする。
【０００９】
請求項２に係る発明は、顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、紙幣を搬送する複数の搬送路とを備えた自動取引装置において、前記分離部から前記鑑別部を経て前記一時保留部に至る前記搬送路で形成される取込紙幣搬送路と、該取込紙幣搬送路の前記鑑別部と前記一時保留部との間で分岐して前記集積部に至る前記搬送路で形成される入金リジェクト紙幣搬送路と、前記一時保留部から前記鑑別部を経て前記集積部に至る前記搬送路で形成される第１の返却紙幣搬送路とを設け、前記一時保留部に集積されている紙幣を繰出して、前記第１の返却紙幣搬送路により前記集積部へ搬送して集積する紙幣返却処理を実行している場合に、前記第１の返却紙幣搬送路におけるジャムの発生を検出する手段と、該ジャムの発生を検出したときに、前記第１の返却紙幣搬送路と前記入金リジェクト紙幣搬送路とを前記集積部の方向に空転させて、前記第１の返却紙幣搬送路に残留する残留紙幣を、前記集積部へ搬送して除去する手段と、前記残留紙幣の除去後に、前記一時保留部から１枚の紙幣を繰出して、前記第１の返却紙幣搬送路により前記集積部へ搬送して集積するクリーニング手段と、該第２のクリーニング手段により紙幣を前記集積部へ集積した後に、該集積部に集積した紙幣を前記分離部へ移動させる手段と、該分離部へ移動させた紙幣を、前記分離部から１枚繰出して、前記取込紙幣搬送路と前記入金リジェクト紙幣搬送路とにより前記集積部へ搬送して集積するクリーニング手段と、を備えることを特徴とする。
【００１０】
請求項３に係る発明は、顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、紙幣を搬送する複数の搬送路とを備えた自動取引装置において、前記一時保留部から前記鑑別部を経て前記紙幣収納部に至る前記搬送路で形成される収納紙幣搬送路を設け、前記一時保留部に集積されている紙幣を繰出して、前記収納紙幣搬送路により前記紙幣収納部へ搬送して集積する紙幣収納処理を実行している場合に、前記収納紙幣搬送路におけるジャムの発生を検出する手段と、該ジャムの発生を検出したときに、前記収納紙幣搬送路を前記一時保留部の方向に空転させて、前記収納紙幣搬送路に残留する残留紙幣を、前記一時保留部へ搬送して除去する手段と、前記残留紙幣の除去後に、前記一時保留部から１枚の紙幣を繰出して、前記収納紙幣搬送路により前記紙幣収納部へ搬送して集積するクリーニング手段と、を備えることを特徴とする。
【００１１】
請求項４に係る発明は、顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、出金には適さない紙幣と鑑別された紙幣を収納する出金リジェクト紙幣収納部と、紙幣を搬送する複数の搬送路とを備えた自動取引装置において、前記紙幣収納部から前記鑑別部を経て前記集積部に至る前記搬送路で形成される出金紙幣搬送路と、該出金紙幣搬送路の前記鑑別部と前記集積部との間で分岐して前記出金リジェクト紙幣収納部に至る前記搬送路で形成される出金リジェクト紙幣搬送路とを設け、前記紙幣収納部に収納されている紙幣を繰出して、前記出金紙幣搬送路により前記集積部に搬送して集積しながら、前記鑑別部で出金リジェクト紙幣と鑑別された紙幣を、出金リジェクト紙幣搬送路により前記出金リジェクト紙幣収納部に搬送して集積する出金紙幣集積処理を実行している場合に、前記出金紙幣搬送路および出金リジェクト紙幣搬送路におけるジャムの発生を検出する手段と、該ジャムの発生を検出したときに、前記出金紙幣搬送路を前記集積部の方向に空転させて、前記出金紙幣搬送路に残留する残留紙幣を、前記集積部へ搬送して除去する手段と、前記出金リジェクト紙幣搬送路を前記出金リジェクト紙幣収納部の方向に空転させて、出金リジェクト紙幣搬送路に残留する残留紙幣を、前記出金リジェクト紙幣収納部へ搬送して除去する手段と、前記残留紙幣を前記集積部および前記出金リジェクト紙幣収納部へ除去した後に、前記紙幣収納部から１枚の紙幣を繰出して前記出金紙幣搬送路により前記集積部へ搬送して集積するクリーニング手段と、前記残留紙幣を前記集積部および前記出金リジェクト紙幣収納部へ除去した後に、前記紙幣収納部から１枚の紙幣を繰出して前記出金紙幣搬送路および前記出金リジェクト紙幣搬送路により前記出金リジェクト紙幣収納部へ搬送して集積するクリーニング手段と、を備えることを特徴とする。
【００１２】
請求項５に係る発明は、顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、顧客が入金して取引未完了の紙幣を収納する取引未完了取込紙幣収納部と、紙幣を搬送する複数の搬送路とを備えた自動取引装置において、前記一時保留部から前記鑑別部を経て前記取引未完了取込紙幣収納部に至る前記搬送路で形成される取引未完了取込紙幣搬送路を設け、前記一時保留部に集積されている紙幣を繰出して、前記取引未完了取込紙幣搬送路により前記取引未完了取込紙幣収納部へ搬送して集積する取引未完了取込紙幣収納処理を実行している場合に、前記取引未完了取込紙幣搬送路におけるジャムの発生を検出する手段と、該ジャムの発生を検出したときに、前記取引未完了取込紙幣搬送路を前記一時保留部の方向に空転させて、前記取引未完了取込紙幣搬送路に残留する残留紙幣を、前記一時保留部へ搬送して除去する手段と、前記残留紙幣の除去後に、前記一時保留部から１枚の紙幣を繰出して、前記取引未完了取込紙幣搬送路により前記取引未完了取込紙幣収納部へ搬送して集積するクリーニング手段と、を備えることを特徴とする。
【００１３】
請求項６に係る発明は、顧客が投入した紙幣を１枚毎に分離して繰出す分離部、および顧客に引渡す紙幣を集積する集積部を有する接客口と、顧客が投入した紙幣を一時保留する一時保留部と、紙幣に対する各種の鑑別を行う鑑別部と、出金に用いる紙幣および／もしくは入金された紙幣を収納する紙幣収納部と、顧客に出金して顧客が取忘れた紙幣を収納する出金取忘れ取込紙幣収納部と、紙幣を搬送する複数の搬送路とを備えた自動取引装置において、前記分離部から前記鑑別部を経て前記出金取忘れ取込紙幣収納部に至る前記搬送路で形成される出金取忘れ紙幣搬送路と、前記分離部に投入された紙幣を繰出して、前記出金取忘れ紙幣搬送路により前記出金取忘れ取込紙幣収納部に搬送して集積する出金取忘れ取込紙幣収納処理を実行している場合に、前記出金取忘れ紙幣搬送路におけるジャムの発生を検出する手段と、該ジャムの発生を検出したときに、前記出金取忘れ紙幣搬送路を前記集積部の方向に空転させて、前記出金取忘れ紙幣搬送路に残留する残留紙幣を、前記集積部へ搬送して除去する手段と、前記残留紙幣の除去後に、前記分離部から１枚の紙幣を繰出して前記出金取忘れ紙幣搬送路により前記集積部へ搬送して集積するクリーニング手段と、を備えることを特徴とする。
【発明の効果】
【００１４】
これにより、本発明は、入金取引および出金取引におけるジャムの検出時の紙幣除去処理やその後のクリーニング処理を、入金取引の紙幣取込処理に用いる取込紙幣搬送路と入金リジェクト紙幣搬送路、入金取引の紙幣返却処理に用いる第１および第２の返却紙幣搬送路、入金取引の紙幣収納処理に用いる収納紙幣搬送路、入金取引の入金取忘れ紙幣取込処理に用いる入金取忘れ紙幣搬送路、出金取引の出金紙幣集積処理に用いる出金紙幣搬送路と出金リジェクト紙幣搬送路、出金取引の出金取忘れ紙幣取込処理に用いる出金取忘れ紙幣搬送路を用いて行うことができ、特別な収納部を設けずに、ジャムが検出された処理における搬送路の残留紙幣の除去、および除去後に紙幣が残留していないことの確認を自動的に行うことができ、現金自動預払機を大型化させることなく、ジャムの検出時における搬送路の残留紙幣の除去や除去後に紙幣が残留していないことの確認の自動化を容易に図ることができるという効果が得られる。
【発明を実施するための最良の形態】
【００１５】
以下に、図面を参照して本発明による自動取引装置の実施例について説明する。
【実施例】
【００１６】
図１は実施例の現金自動預払機を示すブロック図、図２は実施例の紙幣入出金機の内部構成を示す概略側面図である。
図１において、１は自動取引装置としての現金自動預払機であり、銀行等の金融機関や郵政公社等（金融機関等という。）の支店や郵便局、コンビニエンスストア等の店舗に設置され、顧客との間で取引処理を自動で行う。
【００１７】
２は現金自動預払機１の主制御部であり、図示しない通信回線を介して、顧客を識別するための顧客ＩＤに対応させて顧客の口座の口座番号やその暗証番号、口座残高等の顧客情報を保有して顧客の口座を管理する図示しないホストコンピュータと接続しており、現金自動預払機１内の各部を制御して取引処理等を実行すると共に、ホストコンピュータとのデータ通信等も制御する。
【００１８】
なお、本実施例では、顧客ＩＤとして顧客の口座の口座番号が用いられる。
３は記憶部であり、主制御部２が実行するプログラムやそれに用いる各種のデータおよび主制御部２による処理結果等が格納される。
４は顧客操作部であり、現金自動預払機１の前面に設けられ、ＬＣＤ等の表示画面とタッチパネル等の入力手段との組合せで構成されており、表示画面に入金取引や出金取引等の取引選択ボタンを表示した取引選択画面や各種の入力画面等を表示する他、入力手段により顧客からの入力を受付ける。
【００１９】
５はカード取扱部であり、挿入された顧客のキャッシュカード等の取引カードの磁気ストライプやＩＣチップ等に記録されている顧客ＩＤ等のカード情報を読み書きする機能を有すると共に、明細票等に取引内容等を印刷する機能等を有している。
６は通帳取扱部であり、挿入された顧客の通帳の磁気ストライプやＩＣチップ等に記録されている顧客ＩＤ等の通帳情報を読み書きする機能を有すると共に、取引内容等を顧客の通帳に記帳する機能を有している。
【００２０】
７は紙幣入出金機であり、後述する接客口１１によって顧客が投入した紙幣を受入れ、これを鑑別および計数して収納し、顧客に支払う紙幣を計数して接客口１１から排出して顧客に払い出す機能等を有している。
８は硬貨入出金機であり、顧客が投入した硬貨を受入れ、これを鑑別および計数して収納し、顧客に支払う硬貨を計数して顧客に払い出す機能等を有している。
【００２１】
９は係員操作部であり、現金自動預払機１の背面側等に設けられ、ＬＣＤ等の表示画面とタッチパネル等の入力手段との組合せで構成されており、表示画面に係員がジャム紙幣の除去作業を行う際のリセットボタンや、電源を投入する際の電源ＯＮボタン、電源を遮断する際の電源ＯＦＦボタン等の業務指示ボタンを表示した業務選択画面や、各種の設定画面等を表示すると共に、入力手段により係員からの入力を受付ける。
【００２２】
本実施例の紙幣入出金機７の接客口１１は、図２に示すように、顧客が投入した紙幣を１枚毎に分離して繰出す分離機構を有する分離部１２、および顧客に引渡す出金紙幣や返却紙幣、後述する鑑別部１６で入金に用いることができない紙幣、例えば偽券や外国紙幣等と鑑別された入金リジェクト紙幣等を集積する集積機構を有する集積部１３、分離部１２と集積部１３との間を仕切る可倒式の仕切板１４、接客口１１の上部に設けられた顧客との入出金取引での紙幣の受入時および取出時に開閉するスライド式のシャッタ１５等を備えている。
【００２３】
また、接客口１１は、その集積部１３に集積された紙幣を可倒式の仕切板１４を倒して分離部１２へ移動させる図示しない移動機構を備えている。
鑑別部１６は、搬送された紙幣に対する各種の鑑別、つまり紙幣の真偽や正損、金種等を鑑別する機能、および連鎖、斜行等の搬送異常を検出する機能、これらの鑑別結果等を主制御部２へ送出する機能等を有している。
【００２４】
１７は一時保留部であり、入金処理において接客口１１に投入された紙幣で、鑑別部１６により真券と鑑別され、取込処理可能と鑑別された紙幣を集積して一時保留する収納部であって、紙幣を１枚毎に分離して繰出すと共に搬送された紙幣を集積する分離集積機構を有している。
１８は紙幣収納部であり、出金に用いる紙幣および／もしくは入金された紙幣を収納する収納部であって、紙幣を１枚毎に分離して繰出すと共に搬送された紙幣を集積する分離集積機構を有している。
【００２５】
本実施例の紙幣収納部１８は、紙幣収納部１８ａ〜１８ｅの５つ設けられており、紙幣収納部１８ａ〜１８ｄは出金に用いる紙幣を金種別に収納するように設定され、紙幣収納部１８ｅは入金取引時に顧客が投入した入金紙幣を、確定後に金種に関わらず収納するように設定されている。
このように、本実施例の紙幣入出金機７は、入金された紙幣を出金に循環使用しないタイプの紙幣入出金機である。
【００２６】
１９は出金リジェクト紙幣収納部であり、出金取引時に紙幣収納部１８ａ〜１８ｄから繰出され、鑑別部１６により出金には適さない紙幣、例えば損券と鑑別された出金リジェクト紙幣を収納する収納部であって、搬送された紙幣を集積する集積機構を有している。
２０は取忘れ紙幣収納部であり、入金取引や出金取引時に顧客が取忘れて接客口１１に放置された紙幣を収納する収納部であって、搬送された紙幣を集積する集積機構を有している。
【００２７】
２２は搬送路であり、ベルト対またはローラ対で紙幣の表裏両面を挟持して搬送する搬送路であって、上記の各部の間を接続して紙幣を搬送するために複数（２２ａ〜２２ｊ）設けられている。
また、搬送路２２の各分岐部には、図示しない切替ブレード等により紙幣の搬送方向を切替える切替機構が設けられている。
【００２８】
搬送路２２ａは、接客口１１の分離部１２と鑑別部１６とを接続するように設けられている。
搬送路２２ｂは、接客口１１の集積部１３と、分離部１２と鑑別部１６とを接続する搬送路２２ａの途中に設けられた分岐部に接続するように設けられている。
搬送路２２ｃは、鑑別部１６の内部に設けられた搬送路である。
【００２９】
搬送路２２ｄは、鑑別部１６と一時保留部１７とを接続するように設けられている。
搬送路２２ｅは、搬送路２２ｄの途中に設けられた一の分岐部と、搬送路２２ｂの途中に設けられた分岐部とを接続するように設けられている。
搬送路２２ｆは、紙幣収納部１８ａ〜１８ｅのそれぞれを接続するように設けられている。
【００３０】
搬送路２２ｇは、搬送路２２ｄの搬送路２２ｅとの一の分岐部と鑑別部１６との間に設けられた他の分岐部と、搬送路２２ｆの紙幣収納部１８ｄと紙幣収納部１８ｅとの間に設けられた分岐部とを接続するように設けられている。
搬送路２２ｈは、搬送路２２ｆの搬送路２２ｇとの分岐部と紙幣収納部１８ｅとの間に設けられた分岐部と、出金リジェクト紙幣収納部１９とを接続するように設けられている。
【００３１】
搬送路２２ｉは、搬送路２２ｈの途中に設けられた分岐部と、取忘れ紙幣収納部２０とを接続するように設けられている。
搬送路２２ｊは、搬送路２２ｆの紙幣収納部１８ａと紙幣収納部１８ｂとの間に設けられた分岐部と、搬送路２２ａの搬送路２２ｂとの分岐部と分離部１２との間に設けられた分岐部とを接続するように設けられている。
【００３２】
本実施例の取込紙幣搬送路は、図３に太い実線で示すように、接客口１１に投入された紙幣を鑑別部１６で鑑別、計数した後に一時保留部１７へ搬送して集積するために、接客口１１の分離部１２から鑑別部１６を経て一時保留部１７に至るように設けられており、搬送路２２ａ、２２ｃ、２２ｄを連結して形成された搬送路２２である。
入金リジェクト紙幣搬送路は、図３に太い破線で示すように、鑑別部１６で入金に用いることができない紙幣と鑑別された紙幣を接客口１１の集積部１３へ搬送して集積するために、取込紙幣搬送路の鑑別部１６と一時保留部１７との間の搬送路２２ｄから分岐し、搬送路２２ｂの分岐部を経て集積部１３に至るように設けられており、搬送路２２ｅ、２２ｂを連結して形成された搬送路２２である。
【００３３】
第１の返却紙幣搬送路は、図４に太い実線で示すように、一時保留部１７に一時保留した紙幣を接客口１１に集積して顧客に返却するために、一時保留部１７から鑑別部１６、搬送路２２ａの分岐部を経て接客口１１の集積部１３に至るように設けられており、搬送路２２ｄ、２２ｃ、２２ａ、２２ｂを連結して形成された搬送路２２である。
収納紙幣搬送路は、図５に太い実線で示すように、入金金額の確定後に入金された紙幣を紙幣収納部１８ｅの金種に関わらず搬送して集積するために、一時保留部１７から鑑別部１６、搬送路２２ａの分岐部、搬送路２２ｊを経て紙幣収納部１８ｅに至るように設けられており、搬送路２２ｄ、２２ｃ、２２ａ、２２ｊ、２２ｆを連結して形成された搬送路２２である。
【００３４】
入金取忘れ紙幣搬送路は、図６に太い実線で示すように、一時保留部１７に一時保留した紙幣を鑑別部１６で鑑別、計数した後に取忘れ紙幣収納部２０へ搬送して集積するために、一時保留部１７から鑑別部１６を経て取忘れ紙幣収納部２０へ至るように設けられており、搬送路２２ｄ、２２ｃ、２２ａ、２２ｊ、２２ｆ、２２ｈ、２２ｉを連結して形成された搬送路２２である。
【００３５】
第２の返却紙幣搬送路は、図７に太い実線で示すように、一時保留部１７に一時保留した紙幣を接客口１１の分離部１２に集積するために、一時保留部１７から鑑別部１６、搬送路２２ａの分岐部を経て接客口１１の分離部１２に至るように設けられており、搬送路２２ｄ、２２ｃ、２２ａを連結して形成された搬送路２２である。
出金紙幣搬送路は、図８に太い実線で示すように、紙幣収納部１８ａ〜１８ｄに収納されている紙幣を出金に要する金種を収納した紙幣収納部１８（図８の例では紙幣収納部１８ａ）から繰出して鑑別部１６で鑑別、計数した後に接客口１１へ搬送して集積するために、紙幣収納部１８から鑑別部１６、搬送路２２ｄの分岐部、搬送路２２ｂの分岐部を経て接客口１１の集積部１３に至るように設けられており、搬送路２２ｆ、２２ｊ、２２ａ、２２ｃ、２２ｄ、２２ｅ、２２ｂを連結して形成された搬送路２２である。
【００３６】
出金リジェクト紙幣搬送路は、図８に太い破線で示すように、鑑別部１６で出金には適さない紙幣と鑑別された紙幣を出金リジェクト紙幣収納部１９へ搬送して集積するために、出金紙幣搬送路の鑑別部１６と一時保留部１７との間の搬送路２２ｄから分岐し、搬送路２２ｆの分岐部を経て出金リジェクト紙幣収納部１９に至るように設けられており、搬送路２２ｇ、２２ｆ、２２ｈを連結して形成された搬送路２２である。
【００３７】
出金取忘れ紙幣搬送路は、図９に太い実線で示すように、接客口１１に投入された紙幣を鑑別部１６で鑑別、計数した後に取忘れ紙幣収納部２０へ搬送して集積するために、接客口１１の分離部１２から鑑別部１６を経て取忘れ紙幣収納部２０へ至るように設けられており、搬送路２２ａ、２２ｃ、２２ｇ、２２ｆ、２２ｈ、２２ｉを連結して形成された搬送路２２である。
【００３８】
２４は紙幣通過検出センサであり、搬送路２２を挟んで発光部と受光部とを対向配置した光学式のセンサであって、発光部からの光を紙幣が遮ったことにより紙幣の通過を検出する機能を有しており、上記の各部から繰出される紙幣や、各部へ搬送された紙幣等の搬送状態を監視するために複数（２４ａ〜２４ｋ、２４ｍ）設けられている。
紙幣通過検出センサ２４ａは、搬送路２２ａの接客口１１の分離部１２の出口の近傍に配置され、分離部１２から繰出される紙幣の搬送状態を監視する。
【００３９】
紙幣通過検出センサ２４ｂは、搬送路２２ｂの接客口１１の集積部１３の入口の近傍に配置され、集積部１３に搬入される紙幣の搬送状態を監視する。
紙幣通過検出センサ２４ｃは、搬送路２２ａの鑑別部１６の分離部１２側の出入口の近傍に配置され、鑑別部１６に搬入される紙幣や搬出される紙幣の搬送状態を監視する。
紙幣通過検出センサ２４ｄは、搬送路２２ｄの鑑別部１６の一時保留部１７側の出入口の近傍に配置され、鑑別部１６から搬出される紙幣や搬入される紙幣の搬送状態を監視する。
【００４０】
紙幣通過検出センサ２４ｅは、搬送路２２ｄの一時保留部１７の紙幣の出入口の近傍に配置され、一時保留部１７から繰出される紙幣や搬入される紙幣の搬送状態を監視する。
紙幣通過検出センサ２４ｆ〜２４ｊは、それぞれ搬送路２２ｆの紙幣収納部１８ａ〜１８ｅの紙幣の出入口の近傍に配置され、それぞれ紙幣収納部１８ａ〜１８ｅから繰出される紙幣や搬入される紙幣の搬送状態を監視する。
【００４１】
紙幣通過検出センサ２４ｋは、搬送路２２ｈの出金リジェクト紙幣収納部１９の入口の近傍に配置され、出金リジェクト紙幣収納部１９に搬入される紙幣の搬送状態を監視する。
紙幣通過検出センサ２４ｍは、搬送路２２ｉの取忘れ紙幣収納部２０の入口の近傍に配置され、取忘れ紙幣収納部２０に搬入される紙幣の搬送状態を監視する。
【００４２】
なお、以下の説明においては、搬送路２２の「空転」という語は、繰出元（接客口１１の分離部１２や一時保留部１７等の分離機構を有する各収納部）から紙幣を繰出さずに、各搬送路２２により紙幣を集積先（接客口１１の集積部１３や一時保留部１７等の集積機構を有する各収納部）へ搬送することを示すものとする。
上記の現金自動預払機１の記憶部３には、予め顧客との間で各種の取引を行うための通常の取引処理プログラムに、入金取引や出金取引等の紙幣を用いて行う取引におけるジャムの検出時に、紙幣の搬送を一旦停止し、搬送路２２に残留する残留紙幣を除去する紙幣除去処理を行う機能を有するアプリケーションプログラムや、除去処理の終了後に搬送路２２の残留紙幣の存在を確認するクリーニング処理を行う機能を有するアプリケーションプログラム等が追加された業務処理実行プログラムが格納されており、主制御部２が実行する業務処理実行プログラムのステップにより本実施例の現金自動預払機１のハードウェアとしての各機能手段が形成される。
【００４３】
また、記憶部３には、搬送路２２を搬送される紙幣の搬送方向に隣合う紙幣通過検出センサ２４間の標準的な搬送時間に予め求められた変動時間を加えた搬送時間であるジャム判定時間を隣合う紙幣通過検出センサ２４別に記したジャム判定時間テーブル、残留紙幣の除去処理において各紙幣通過検出センサ２４が紙幣の通過を検出しなくなってから除去処理の終了を判定するための経過時間である除去終了判定時間、顧客が入金取引における確認操作を忘れて帰ったと判定するための待ち終了判定時間、顧客が出金取引における紙幣等の受取を忘れて帰ったと判定するための紙幣等受取待ち終了判定時間、およびクリーニング処理における各搬送経路の繰出元から集積先までの搬送時間に所定の待ち時間を加えた搬送時間であるクリーニング終了判定時間を各搬送経路別に記したクリーニング終了判定時間テーブルが予め設定されて格納されている。
【００４４】
以下に、図１０ないし図１７に示すフローチャートを用い、Ｓ等で示すステップに従って本実施例の現金自動預払機の業務処理について説明する。
Ｓ１（図１０）、金融機関等の店舗の係員が、始業時等に係員操作部９の業務選択画面の電源ＯＮボタンを押下して現金自動預払機１へ電源を投入すると、現金自動預払機１の記憶部３に格納されている業務処理実行プログラムが自動的に起動される。
【００４５】
業務処理実行プログラムが起動すると、現金自動預払機１の主制御部２は業務処理実行プログラムによりその顧客操作部４の画面に取引選択画面を表示して待機する。
取引選択画面には、取引選択ボタンの押下を促す旨の文言と、出金取引のための「お引き出し」ボタンおよび入金取引のための「お預け入れ」ボタン、振込取引のための「お振り込み」ボタン等の取引を選択するための取引選択ボタンが表示されている。
【００４６】
本実施例では、顧客は希望する取引を選択し、顧客操作部４の画面から入力手段によってその取引選択ボタンを押下する。
Ｓ２（図１０）、主制御部２は、入力手段からの信号により顧客の選択した取引を認識し、顧客の選択した取引が入金取引である場合は、接続子Ａを介して図１１のステップＳＡ１へ移行する。顧客の選択した取引が入金取引以外の場合はステップＳ３へ移行する。
【００４７】
Ｓ３（図１０）、主制御部２は、顧客の選択した取引が出金取引であると認識した場合は、接続子Ｋを介して図１６のステップＳＫ１へ移行する。顧客の選択した取引が出金取引以外の場合はステップＳ４へ移行する。
Ｓ４（図１０）、顧客の選択した取引を入金取引および出金取引以外の他の取引と認識した主制御部２は、顧客が選択した取引に従って取引処理プログラムにより他の取引の取引処理を実行する。
【００４８】
なお、他の取引の取引処理の作動は、通常の取引処理の作動と同様であるのでその説明を省略する。
他の取引の取引処理を終えた主制御部２は、その取引処理を終了させてステップＳ５へ移行する。
Ｓ５（図１０）、主制御部２は、その時計機能により現在時刻を認識し、現在時刻が業務終了時刻以前のときは、ステップＳ１へ戻って顧客操作部４の画面に取引選択画面を表示して待機する。
【００４９】
現在時刻が業務終了時刻を過ぎているときは、業務処理を終了させ、現金自動預払機１の運用を停止させる。
以下に、図１１にＳＡで示すステップに従って、本実施例の入金取引処理について説明する。
ＳＡ１、ステップＳ２（図１０）において、顧客の選択した取引を入金取引と認識し、接続子Ａを介して移行した主制御部２は、取引処理プログラムにより入金取引処理を開始し、顧客操作部４の画面に取引カードの挿入を促す旨の文言を表示した取引カード挿入依頼画面を表示し、顧客はこれに従って取引カードをカード取扱部５に挿入する。
【００５０】
このとき、主制御部２は、取引カードに記録されている顧客ＩＤ等のカード情報を読取ると共に、読取ったカード情報を記憶部３に一時保存する。
ＳＡ２、カード情報を読取った主制御部２は、顧客操作部４の画面に紙幣等の投入を促す旨の文言を表示した紙幣等投入依頼画面を表示すると共に、紙幣入出金機７の接客口１１のシャッタ１５等を開放する。
【００５１】
顧客は、これに従って接客口１１の分離部１２に紙幣を投入する。
ＳＡ３、紙幣の投入を検知した主制御部２は、投入が終了した後に所定の時間が経過したことを確認して紙幣入出金機７の接客口１１のシャッタ１５を閉鎖し、投入された紙幣を取込む紙幣取込処理の実行を開始する。
すなわち、主制御部２は、分離部１２に投入された紙幣を繰出して、取込紙幣搬送路（図３参照）により鑑別部１６へ搬送し、鑑別部１６で真券と鑑別された紙幣の金種別の枚数を計数して取込紙幣搬送路により一時保留部１７に搬送して集積しながら、鑑別部１６で入金リジェクト紙幣と鑑別された紙幣を顧客に返却するために入金リジェクト紙幣搬送路により接客口１１の集積部１３に搬送して集積する。
【００５２】
ＳＡ４、これと並行して、主制御部２は記憶部３に格納されているジャム判定時間テーブルを読出し、分離部１２から繰出された紙幣が、取込紙幣搬送路および入金リジェクト紙幣搬送路に設けられた各紙幣通過検出センサ２４の間を順次に通過する際の各搬送時間を監視する。
そして、いずれかの紙幣通過検出センサ２４間の搬送時間が、ジャム判定時間テーブルの該当する紙幣通過検出センサ２４間のジャム判定時間以上である場合に、ジャムの発生と判定してジャムを検出し、接続子Ｂを介して図１２のステップＳＢ１へ移行する。ジャムを検出しない場合はステップＳＡ５へ移行する。
【００５３】
ＳＡ５、主制御部２は、分離部１２の紙幣通過検出センサ２４ａが紙幣の通過を検出しなくなってから、順次にその紙幣の通過を取込紙幣搬送路または入金リジェクト紙幣搬送路に設けられた紙幣通過検出センサ２４により監視し、一時保留部１７の紙幣通過検出センサ２４ｅ、または集積部１３の紙幣通過検出センサ２４ｂがその紙幣の通過を検出したときに、紙幣の取込の終了を判定し、紙幣取込処理を終了させてステップＳＡ６へ移行する。紙幣通過検出センサ２４ａが紙幣の通過を検出し続けている場合は、前記の取込の終了までステップＳＡ４によるジャム発生の監視を継続する。
【００５４】
ＳＡ６、紙幣の取込を終えた主制御部２は、鑑別部１６により計数された金種別の枚数に基づいて取込まれた紙幣の合計金額を演算し、顧客操作部４の画面に、取込んだ紙幣の合計金額等や、入金金額の確定を指示するため「確認」ボタンや投入した紙幣の返却を指示するための「返却」ボタンを表示した入金金額確認画面を表示する。
顧客は入金金額が正しいことを確認したときは「確認」ボタンを、投入した紙幣の返却を指示するときは「返却」ボタンを押下する。
【００５５】
ＳＡ７、主制御部２は、顧客が「返却」ボタンの押下を認識したときはステップＳＡ１０へ、他のボタンの押下を認識したときはステップＳＡ８へ移行する。
ＳＡ８、主制御部２は、「確認」ボタンの押下を認識したときはステップＳＡ１４へ、他のボタンの押下を認識したときはステップＳＡ９へ移行する。
ＳＡ９、主制御部２は、その時計機能により入金金額確認画面を表示した時から現在までの待ち時間を計数し、その待ち時間が、記憶部３から読出した待ち終了判定時間以下のときは、顧客が考え中であると判定してステップＳＡ７へ戻り前記の待機を継続する。
【００５６】
待ち時間が、当該待ち終了判定時間より長いときは、顧客が入金金額の確認操作を忘れて帰ったと判定してステップＳＡ１８へ移行する。
ＳＡ１０、「返却」ボタンの押下を認識した主制御部２は、一時保留部１７に集積されている投入紙幣、つまり返却紙幣を顧客に返却する紙幣返却処理の実行を開始する。
すなわち、主制御部２は、一時保留部１７に集積されている紙幣を繰出し、第１の返却紙幣搬送路（図４参照）により鑑別部１６を通過させて接客口１１の集積部１３に搬送して集積する。
【００５７】
ＳＡ１１、これと並行して、主制御部２は、上記ステップＳＡ４と同様にして、第１の返却紙幣搬送路に設けられた各紙幣通過検出センサ２４の間を、紙幣が順次に通過する際の搬送時間によりジャムの発生を検出したときは、接続子Ｃを介して図１３のステップＳＣ１へ移行する。ジャムの発生を検出しない場合はステップＳＡ１２へ移行する。
ＳＡ１２、主制御部２は、一時保留部１７の紙幣通過検出センサ２４ｅが紙幣の通過を検出しなくなってから、順次にその紙幣の通過を第１の返却紙幣搬送路に設けられた紙幣通過検出センサ２４により監視し、集積部１３の紙幣通過検出センサ２４ｂがその紙幣の通過を検出したときに、返却紙幣の集積の終了を判定し、紙幣返却処理を終了させてステップＳＡ１３へ移行する。紙幣通過検出センサセンサ２４ｅが紙幣の通過を検出し続けている場合は、前記の集積の終了までステップＳＡ１１によるジャム発生の監視を継続する。
【００５８】
ＳＡ１３、接客口１１の集積部１３への返却紙幣の集積を終えた主制御部２は、顧客操作部４の画面に紙幣や取引カードの受取りを促す画面を表示し、集積部１３の紙幣を分離部１２へ移動させ、シャッタ１５を開放すると共に、カード取扱部５から取引カードを排出して顧客に紙幣および取引カードを返却する。
その後、主制御部２は、顧客がこれらを受取ったことを確認して入金取引処理を終了させ、接続子Ｚを介して図１０のステップＳ５へ移行する。
【００５９】
ＳＡ１４、「確認」ボタンの押下を認識した主制御部２は、記憶部３に一時保存したカード情報を読出し、これに確定された入金金額を添付して図示しないホストコンピュータへ通知すると共に、一時保留部１７に集積されている確定された入金紙幣を紙幣収納部１８ｅに集積して収納する紙幣収納処理の実行を開始する。
すなわち、主制御部２は、一時保留部１７に集積されている紙幣を繰出し、収納紙幣搬送路（図５参照）により鑑別部１６を通過させて紙幣収納部１８ｅに搬送して集積し、入金紙幣を紙幣収納部１８ｅに収納する。
【００６０】
ＳＡ１５、これと並行して、主制御部２は、上記ステップＳＡ４と同様にして、収納紙幣搬送路に設けられた各紙幣通過検出センサ２４の間を、紙幣が順次に通過する際の搬送時間によりジャムの発生を検出したときは、接続子Ｄを介して図１４のステップＳＤ１へ移行する。ジャムの発生を検出しない場合はステップＳＡ１６へ移行する。
ＳＡ１６、主制御部２は、一時保留部１７の紙幣通過検出センサ２４ｅが紙幣の通過を検出しなくなってから、順次にその紙幣の通過を収納紙幣搬送路に設けられた紙幣通過検出センサ２４により監視し、紙幣収納部１８ｅの紙幣通過検出センサ２４ｊがその紙幣の通過を検出したときに、入金紙幣の収納の終了を判定し、紙幣収納処理を終了させてステップＳＡ１７へ移行する。紙幣通過検出センサセンサ２４ｅが紙幣の通過を検出し続けている場合は、前記の収納の終了までステップＳＡ１５によるジャム発生の監視を継続する。
【００６１】
ＳＡ１７、紙幣収納部１８ｅへの入金紙幣の収納を終えた主制御部２は、顧客操作部４の画面に明細票や取引カードの受取りを促す画面を表示し、取引内容を基にカード取扱部５により明細票を印刷して、カード取扱部５から取引カードや明細票を排出する。
その後、主制御部２は、顧客がこれらを受取ったことを確認して入金取引処理を終了させ、接続子Ｚを介して図１０のステップＳ５へ移行する。
【００６２】
ＳＡ１８、顧客が入金金額の確認操作を忘れて帰ったと判定した主制御部２は、一時保留部１７に集積されている顧客が入金した入金紙幣を取忘れ紙幣収納部２０に集積して収納する入金取忘れ紙幣取込処理の実行を開始する。
すなわち、主制御部２は、一時保留部１７に集積されている紙幣を繰出し、入金取忘れ紙幣搬送路（図６参照）により鑑別部１６を通過させて取忘れ紙幣収納部２０に集積して収納する。
【００６３】
ＳＡ１９、これと並行して、主制御部２は、入金取忘れ紙幣搬送路に設けられた各紙幣通過検出センサ２４の間を、紙幣が順次に通過する際の搬送時間によりジャムの発生を検出したときは、接続子Ｅを介して図１５のステップＳＥ１へ移行する。ジャムの発生を検出しない場合はステップＳＡ２０へ移行する。
ＳＡ２０、主制御部２は、一時保留部１７の紙幣通過検出センサ２４ｅが紙幣の通過を検出しなくなってから、順次にその紙幣の通過を入金取忘れ紙幣搬送路に設けられた紙幣通過検出センサ２４により監視し、取忘れ紙幣収納部２０の紙幣通過検出センサ２４ｍがその紙幣の通過を検出したときに、入金取忘れ紙幣の取込の終了を判定し、入金取忘れ紙幣取込処理を終了させて接続子Ｚを介して図１０のステップＳ５へ移行する。紙幣通過検出センサ２４ｅが紙幣の通過を検出し続けている場合は、前記の取込の終了までステップＳＡ１９によるジャム発生の監視を継続する。
【００６４】
上記のようにして、入金取引処理が実行されている場合に、主制御部２がジャムを検出した場合の作動について説明する。
以下に、図１２にＳＢで示すステップに従って、本実施例の紙幣取込処理における紙幣除去処理およびクリーニング処理について説明する。
ＳＢ１、ステップＳＡ４（図１１）において、紙幣取込処理中にジャムを検出し、接続子Ｂを介して移行した主制御部２は、紙幣除去処理プログラムにより、記憶部３に格納されている除去終了判定時間を読出すと共に、取込紙幣搬送路および入金リジェクト紙幣搬送路（図３参照）に残留する残留紙幣の紙幣除去処理を実行する。
【００６５】
すなわち、主制御部２は、紙幣取込処理を中止し、取込紙幣搬送路と入金リジェクト紙幣搬送路とを連結した搬送路２２、つまり搬送路２２ａ、２２ｃ、２２ｄ、搬送路２２ｄの途中から分岐して搬送路２２ｂに合流する搬送路２２ｅ、搬送路２２ｂを連結した搬送路２２を接客口１１の集積部１３の方向、つまり紙幣取込処理における入金リジェクト紙幣の搬送方向と同方向に空転させて、残留紙幣を集積部１３へ搬送して集積する。
【００６６】
そして、主制御部２は、その時計機能により前記搬送路２２に設けられた各紙幣通過検出センサ２４が紙幣の通過を検出しなくなってからの経過時間を計数し、経過時間が記憶部３から読出した除去終了判定時間以上になったときに、紙幣除去処理の終了を判定してステップＳＢ２へ移行する。
ＳＢ２、主制御部２は、接客口１１の分離部１２の紙幣有無を検知し、紙幣が有る場合はステップＳＢ５へ移行する。紙幣が無い場合はＳＢ３へ移行する。
【００６７】
ＳＢ３、接客口１１の分離部１２の紙幣無しを検知した主制御部２は、クリーニング処理プログラムにより、記憶部３に格納されているクリーニング終了判定時間テーブルを読出すと共に、第１のクリーニング処理を実行する。
すなわち、主制御部２は、一時保留部１７に集積されている紙幣を１枚繰出し、第２の返却紙幣搬送路（図７参照）により繰出した１枚の紙幣を接客口１１の分離部１２へ搬送して集積する。
【００６８】
ＳＢ４、このとき、主制御部２は、その時計機能により繰出元の一時保留部１７から繰出した１枚の紙幣の通過をその紙幣通過検出センサ２４ｅが検出した時から、集積先の接客口１１の分離部１２の紙幣通過検出センサ２４ａがその紙幣の通過を検出するまでの搬送時間を計数し、その搬送時間が、記憶部３から読出したクリーニング終了判定時間テーブルの当該搬送経路のクリーニング終了判定時間以下のときに、前記搬送路２２に紙幣が残留していないと判定して第１のクリーニング処理が正常に終了したことを認識し、第１のクリーニング処理を終了させてステップＳＢ５へ移行する。
【００６９】
搬送時間が、当該搬送経路のクリーニング終了判定時間より長いときは、前記搬送路２２に重度のジャム紙幣が残留していると判定してクリーニング処理が正常に終了しなかったことを認識し、クリーニング処理を終了させて、ステップＳＢ１０へ移行する。
ＳＢ５、残留紙幣の集積部１３への集積を終えた主制御部２は、クリーニング処理プログラムにより、記憶部３に格納されているクリーニング終了判定時間テーブルを読出すと共に、第２のクリーニング処理を実行する。
【００７０】
すなわち、主制御部２は、接客口１１の分離部１２から１枚の紙幣を繰出し、取込紙幣搬送路と入金リジェクト紙幣搬送路とを連結した搬送路２２、つまり紙幣除去処理のときと同じ搬送路２２により繰出した１枚の紙幣を集積部１３へ搬送して集積する。
ＳＢ６、このとき、主制御部２は、その時計機能により繰出元の分離部１２から繰出した１枚の紙幣の通過をその紙幣通過検出センサ２４ａが検出した時から、集積先の集積部１３の紙幣通過検出センサ２４ｂがその紙幣の通過を検出するまでの搬送時間を計数し、その搬送時間が、記憶部３から読出したクリーニング終了判定時間テーブルの当該搬送経路のクリーニング終了判定時間以下のときに、前記搬送路２２に紙幣が残留していないと判定して第２のクリーニング処理が正常に終了したことを認識し、第２のクリーニング処理を終了させてステップＳＢ７へ移行する。
【００７１】
搬送時間が、当該搬送経路のクリーニング終了判定時間より長いときは、前記搬送路２２に重度のジャム紙幣が残留していると判定してクリーニング処理が正常に終了しなかったことを認識し、クリーニング処理を終了させてステップＳＢ１０へ移行する。
ＳＢ７、第２のクリーニング処理が正常に終了したことを認識した主制御部２は、第３のクリーニング処理を実行する。
【００７２】
すなわち、主制御部２は、一時保留部１７に集積されている紙幣を１枚繰出し、第１の返却紙幣搬送路（図４参照）により繰出した１枚の紙幣を接客口１１の集積部１３へ搬送して集積する。
ＳＢ８、このとき、主制御部２は、上記ステップＳＢ５と同様にして、繰出元の一時保留部１７の紙幣通過検出センサ２４ｅと集積先の集積部１３の紙幣通過検出センサ２４ｂとにより繰出した１枚の紙幣の搬送時間を計数し、その搬送時間により第１の返却紙幣搬送路に残留する紙幣の有無を判定し、紙幣が残留していないと判定したときは第３のクリーニング処理が正常に終了したことを認識し、第３のクリーニング処理を終了させてステップＳＢ９へ移行する。
【００７３】
第１の返却紙幣搬送路に重度のジャム紙幣が残留していると判定したときはクリーニング処理が正常に終了しなかったことを認識し、クリーニング処理を終了させてステップＳＢ１０へ移行する。
上記の第２および第３のクリーニング処理により、紙幣取込処理に用いた搬送路２２および紙幣除去処理に用いた搬送路２２に紙幣が残留していないことが確認される。
【００７４】
ＳＢ９、クリーニング処理が正常に終了したことを認識した主制御部２は、顧客に投入紙幣を返却するために、一時保留部１７に集積されている紙幣の第１の返却紙幣搬送路による集積部１３への集積を開始し、接続子Ｆを介して図１１のステップＳＡ１２へ移行し、ジャムの発生を監視しながら一時保留部１７に集積されている全ての紙幣を集積部１３へ集積する。
【００７５】
ＳＢ１０、一方、クリーニング処理が正常に終了しなかったことを認識した主制御部２は、現金自動預払機１の運用を中止し、係員操作部９の画面に、クリーニング処理が正常終了しなかった処理名（本ステップでは紙幣除去処理）と除去エラーが発生した旨の文言、および正常終了しなかったクリーニング処理の番号等を表示した除去エラー画面を表示すると共に、顧客操作部４の画面に、搬送エラーにより取引を中止する旨の文言、および係員への連絡を依頼する旨の文言等を表示する。
【００７６】
ＳＢ１１、除去エラー画面等を表示した主制御部２は、現金自動預払機１に対する顧客の入力操作の受付を全て停止し、係員による残留紙幣（例えば重度のジャム紙幣）の除去作業を待って待機する。
そして、係員が到着し、係員操作部９による電源のＯＦＦ操作、または除去作業のための搬送路２２等の引出し操作等を検出したときに、前記の待機を解除し、電源のＯＮ操作、または除去作業の終了操作を認識したときに、接続子Ｚを介して図１０のステップＳ５へ移行する。
【００７７】
このようにして、本実施例の紙幣取込処理のジャム検出時における紙幣除去処理およびクリーニング処理が行われる。
以下に、図１３にＳＣで示すステップに従って、本実施例の紙幣返却処理における紙幣除去処理およびクリーニング処理について説明する。
ＳＣ１、ステップＳＡ１１（図１１）において、紙幣返却処理中にジャムを検出し、接続子Ｃを介して移行した主制御部２は、紙幣除去処理プログラムにより、記憶部３に格納されている除去終了判定時間を読出すと共に、第１の返却紙幣搬送路（図４参照）に残留する残留紙幣の紙幣除去処理を実行する。
【００７８】
すなわち、主制御部２は、紙幣返却処理を一旦停止し、第１の返却紙幣搬送路と入金リジェクト紙幣搬送路（図３参照）とを連結した搬送路２２、つまり搬送路２２ａと２２ｂとの分岐部と鑑別部１６との間の搬送路２２ａ、２２ｃ、２２ｄ、搬送路２２ｄの途中から分岐して搬送路２２ｂに合流する搬送路２２ｅ、搬送路２２ｂを連結した搬送路２２を接客口１１の集積部１３の方向、つまり紙幣返却処理における入金返却紙幣の搬送方向と同方向に空転させて、残留紙幣を集積部１３へ搬送して集積する。
【００７９】
そして、主制御部２は、前記搬送路２２に設けられた各紙幣通過検出センサ２４により上記ステップＳＢ１と同様にして、紙幣除去処理の終了を判定してステップＳＣ２へ移行する。
ＳＣ２、主制御部２は、一時保留部１７の紙幣有無を検知し、紙幣が有る場合はステップＳＣ５へ移行する。紙幣が無い場合はＳＣ３へ移行する。
【００８０】
ＳＣ３、一時保留部１７の紙幣無しを検知した主制御部２は、クリーニング処理プログラムにより、記憶部３に格納されているクリーニング終了判定時間テーブルを読出すと共に、第４のクリーニング処理を実行する。
すなわち、主制御部２は、接客口１１の集積部１３に集積された紙幣を可倒式の仕切板１４を倒して分離部１２へ移動し、移動した前記紙幣をすべて繰出し、取込紙幣搬送路（図３参照）により繰出したすべての紙幣を一時保留部１７へ搬送して集積する。
【００８１】
ＳＣ４、このとき、主制御部２は、その時計機能により繰出元の接客口１１の分離部１２から繰出したすべての紙幣の通過をその紙幣通過検出センサ２４ａが検出した時から、集積先の一時保留部１７の紙幣通過検出センサ２４ｅがその紙幣の通過を検出するまでの搬送時間を計数し、その搬送時間が、記憶部３から読出したクリーニング終了判定時間テーブルの当該搬送経路のクリーニング終了判定時間以下のときに、前記搬送路２２に紙幣が残留していないと判定して第４のクリーニング処理が正常に終了したことを認識し、第４のクリーニング処理を終了させてステップＳＣ５へ移行する。
【００８２】
搬送時間が、当該搬送経路のクリーニング終了判定時間より長いときは、前記搬送路２２に重度のジャム紙幣が残留していると判定してクリーニング処理が正常に終了しなかったことを認識し、クリーニング処理を終了させてステップＳＣ８へ移行する。
ＳＣ５、残留紙幣の集積部１３への集積を終えた主制御部２は、クリーニング処理プログラムにより、記憶部３に格納されているクリーニング終了判定時間テーブルを読出すと共に、上記ステップＳＢ７と同様にして、一時保留部１７から繰出した１枚の投入紙幣を接客口１１の集積部１３へ搬送して集積する第３のクリーニング処理を実行する。
【００８３】
ＳＣ６、このとき、主制御部２は、上記ステップＳＢ８と同様にして、第１の返却紙幣搬送路に残留する紙幣の有無を判定し、紙幣が残留していないと判定したときは第３のクリーニング処理が正常に終了したことを認識し、第３のクリーニング処理を終了させてステップＳＣ７へ移行する。
第１の返却紙幣搬送路に重度のジャム紙幣が残留していると判定したときはクリーニング処理が正常に終了しなかったことを認識し、クリーニング処理を終了させてステップＳＣ８へ移行する。
【００８４】
ＳＣ７、クリーニング処理が正常に終了したことを認識した主制御部２は、紙幣返却処理を再開するために、一時保留部１７に集積されている紙幣の第１の返却紙幣搬送路による集積部１３への集積を再開し、接続子Ｆを介して図１１のステップＳＡ１２へ移行し、ジャムの発生を監視しながら一時保留部１７に集積されている全ての紙幣を集積部１３へ集積する。
【００８５】
その後のステップＳＣ８、ＳＣ９の作動は、上記ステップＳＢ１０、ＳＢ１１の作動と同様であるので、その説明を省略する。
このようにして、本実施例の紙幣返却処理のジャム検出時における紙幣除去処理およびクリーニング処理が行われる。
以下に、図１４にＳＤで示すステップに従って、本実施例の紙幣収納処理における紙幣除去処理およびクリーニング処理について説明する。
【００８６】
ＳＤ１、ステップＳＡ１５（図１１）において、紙幣収納処理中にジャムを検出し、接続子Ｄを介して移行した主制御部２は、紙幣除去処理プログラムにより、記憶部３に格納されている除去終了判定時間を読出すと共に、収納紙幣搬送路（図５参照）に残留する残留紙幣の紙幣除去処理を実行する。
すなわち、主制御部２は、紙幣収納処理を一旦停止し、収納紙幣搬送路を一時保留部１７の方向、つまり入金紙幣を収納する搬送方向とは逆方向に空転させて、残留紙幣を一時保留部１７へ搬送して集積する。
【００８７】
そして、主制御部２は、収納紙幣搬送路に設けられた各紙幣通過検出センサ２４により、上記ステップＳＢ１と同様にして、紙幣除去処理の終了を判定してステップＳＤ２へ移行する。
ＳＤ２、残留紙幣の一時保留部１７への集積を終えた主制御部２は、クリーニング処理プログラムにより、記憶部３に格納されているクリーニング終了判定時間テーブルを読出すと共に、第５のクリーニング処理を実行する。
【００８８】
すなわち、主制御部２は、一時保留部１７に集積されている紙幣を１枚繰出し、収納紙幣搬送路により紙幣収納部１８ｅへ搬送して集積する。
ＳＤ３、このとき、主制御部２は、上記ステップＳＢ５と同様にして、繰出元の一時保留部１７の紙幣通過検出センサ２４ｅと集積先の紙幣収納部１８ｅの紙幣通過検出センサ２４ｊとにより繰出した１枚の紙幣の搬送時間を計数し、その搬送時間により収納紙幣搬送路に残留する紙幣の有無を判定し、収納紙幣搬送路に重度のジャム紙幣が残留していると判定したときはクリーニング処理が正常に終了しなかったことを認識し、クリーニング処理を終了させてステップＳＤ４へ移行する。
【００８９】
紙幣が残留していないと判定したときはクリーニング処理が正常に終了したことを認識し、紙幣収納処理を再開するために、接続子Ｇを介して図１１のステップＳＡ１６へ移行し、一時保留部１７に集積されている紙幣の収納紙幣搬送路による紙幣収納部１８ｅへの集積を再開し、ジャムの発生を監視しながら一時保留部１７に集積されている全ての紙幣を紙幣収納部１８ｅへ集積する。
【００９０】
上記の第５のクリーニング処理により、紙幣収納処理に用いた搬送路２２および紙幣除去処理に用いた搬送路２２に紙幣が残留していないことが確認される。
その後のステップＳＤ４、ＳＤ５の作動は、上記ステップＳＢ１０、ＳＢ１１の作動と同様であるので、その説明を省略する。
このようにして、本実施例の紙幣収納処理のジャム検出時における紙幣除去処理およびクリーニング処理が行われる。
【００９１】
以下に、図１５にＳＥで示すステップに従って、本実施例の入金取忘れ紙幣取込処理における紙幣除去処理およびクリーニング処理について説明する。
ＳＥ１、ステップＳＡ１９（図１１）において、入金取忘れ紙幣取込処理中にジャムを検出し、接続子Ｅを介して移行した主制御部２は、紙幣除去処理プログラムにより、記憶部３に格納されている除去終了判定時間を読出すと共に、入金取忘れ紙幣搬送路（図６参照）に残留する残留紙幣の紙幣除去処理を実行する。
【００９２】
すなわち、主制御部２は、入金取忘れ紙幣取込処理を一旦停止し、入金取忘れ紙幣搬送路を一時保留部１７の方向、つまり入金紙幣を収納する搬送方向とは逆方向に空転させて、残留紙幣を一時保留部１７へ搬送して集積する。
そして、主制御部２は、入金取忘れ紙幣搬送路に設けられた各紙幣通過検出センサ２４により、上記ステップＳＢ１と同様にして、紙幣除去処理の終了を判定してステップＳＥ２へ移行する。
【００９３】
ＳＥ２、残留紙幣の一時保留部１７への集積を終えた主制御部２は、クリーニング処理プログラムにより、記憶部３に格納されているクリーニング終了判定時間テーブルを読出すと共に、第６のクリーニング処理を実行する。
すなわち、主制御部２は、一時保留部１７に集積されている紙幣を１枚繰出し、入金取忘れ紙幣搬送路により取忘れ紙幣収納部２０へ搬送して集積する。
【００９４】
ＳＥ３、このとき、主制御部２は、上記ステップＳＢ５と同様にして、繰出元の一時保留部１７の紙幣通過検出センサ２４ｅと集積先の取忘れ紙幣収納部２０の紙幣通過検出センサ２４ｍとにより繰出した１枚の紙幣の搬送時間を計数し、その搬送時間により入金取忘れ紙幣搬送路に残留する紙幣の有無を判定し、入金取忘れ紙幣搬送路に重度のジャム紙幣が残留していると判定したときはクリーニング処理が正常に終了しなかったことを認識し、クリーニング処理を終了させてステップＳＥ４へ移行する。
【００９５】
紙幣が残留していないと判定したときはクリーニング処理が正常に終了したことを認識し、入金取忘れ紙幣取込処理を再開するために、接続子Ｈを介して図１１のステップＳＡ２０へ移行し、一時保留部１７に集積されている紙幣の入金取忘れ紙幣搬送路による取忘れ紙幣収納部２０への集積を再開し、ジャムの発生を監視しながら一時保留部１７に集積されている全ての紙幣を取忘れ紙幣収納部２０へ集積する。
【００９６】
上記の第６のクリーニング処理により、入金取忘れ紙幣取込処理に用いた搬送路２２および紙幣除去処理に用いた搬送路２２に紙幣が残留していないことが確認される。
その後のステップＳＥ４、ＳＥ５の作動は、上記ステップＳＢ１０、ＳＢ１１の作動と同様であるので、その説明を省略する。
このようにして、本実施例の入金取忘れ紙幣取込処理のジャム検出時における紙幣除去処理およびクリーニング処理が行われる。
【００９７】
以下に、図１６にＳＫで示すステップに従って、本実施例の出金取引処理について説明する。
ＳＫ１、ステップＳ３（図１０）において、顧客の選択した取引を出金取引と認識し、接続子Ｋを介して移行した主制御部２は、取引処理プログラムにより出金取引処理を開始し、その顧客認証処理を実行する。
【００９８】
すなわち、主制御部２は、顧客操作部４の画面に取引カードの挿入を促す旨の文言を表示した取引カード挿入依頼画面を表示し、顧客はこれに従って取引カードをカード取扱部５に挿入すると、取引カードに記録されている顧客ＩＤ等のカード情報を読取ると共に、読取ったカード情報を記憶部３に一時保存する。
カード情報を読取った主制御部２は、顧客操作部４の画面に、暗証番号の入力を促す旨の文言およびその入力のためのテンキー等を表示した暗証番号入力画面を表示し、顧客が暗証番号を入力すると、これを認識した主制御部２は、入力された暗証番号を基に顧客認証の交信処理を実行する。
【００９９】
すなわち、主制御部２は記憶部３に一時保存したカード情報の顧客ＩＤに入力された暗証番号を添付した顧客認証依頼を図示しないホストコンピュータへ送信し、これを受信したホストコンピュータは、顧客ＩＤを基に顧客情報を検索して該当する顧客情報の暗証番号と顧客認証依頼の暗証番号とを照合し、暗証番号の一致を確認して顧客を認証し、顧客認証の旨の認証結果通知を作成して送信元の現金自動預払機１へ送信する。
【０１００】
認証結果通知を受信した現金自動預払機１の主制御部２は、顧客が認証されたことを認識する。
ＳＫ２、顧客が認証されたことを認識した主制御部２は、顧客操作部４の画面に、出金金額の入力を促す旨の文言およびその入力のためのテンキー等、出金金額の入力終了を指示するための「確認」ボタン等を表示した出金金額入力画面を表示する。
【０１０１】
顧客はテンキー等によって出金金額を入力して「確認」ボタンを押下する。
ＳＫ３、出金金額の入力を認識した主制御部２は、出金取引の交信処理を実行する。
すなわち、主制御部２は、カード情報の顧客ＩＤに入力された出金金額等を添付した出金取引の取引電文を図示しないホストコンピュータへ送信し、これを受信したホストコンピュータは、顧客ＩＤを基に顧客情報を検索して該当する顧客情報の口座残高に不足がないことを確認してその口座残高を更新すると共に、取引許可電文を作成して送信元の現金自動預払機１へ送信する。
【０１０２】
取引許可電文を受信した現金自動預払機１の主制御部２は、出金が許可されたことを認識する。
ＳＫ４、出金が許可されたことを認識した主制御部２は、出金金額に相当する紙幣を接客口１１の集積部１３へ集積する出金紙幣集積処理の実行を開始する。
すなわち、主制御部２は、出金金額に相当する紙幣の金種別の枚数を演算し、該当する紙幣収納部１８、例えば紙幣収納部１８ａから紙幣を繰出して、出金紙幣搬送路（図８参照）により鑑別部１６へ搬送し、鑑別部１６で正券と鑑別された紙幣の金種別の枚数を計数して出金紙幣搬送路により集積部１３へに搬送して集積しながら、鑑別部１６で出金リジェクト紙幣と鑑別された紙幣を出金リジェクト紙幣搬送路により出金リジェクト紙幣収納部１９に搬送して集積する。
【０１０３】
ＳＫ５、これと並行して、主制御部２は記憶部３に格納されているジャム判定時間テーブルを読出し、紙幣収納部１８ａから繰出された紙幣が、出金紙幣搬送路および出金リジェクト紙幣搬送路に設けられた各紙幣通過検出センサ２４の間を順次に通過する際の各搬送時間を監視する。
そして、いずれかの紙幣通過検出センサ２４間の搬送時間が、ジャム判定時間テーブルの該当する紙幣通過検出センサ２４間のジャム判定時間以上である場合に、ジャムの発生と判定してジャムを検出し、ステップＳＫ１０へ移行する。ジャムを検出しない場合はステップＳＫ６へ移行する。
【０１０４】
ＳＫ６、主制御部２は、集積部１３の紙幣通過検出センサ２４ｂが出金金額に相当する紙幣の最後の紙幣の通過を検出したときに、出金紙幣の集積の終了を判定し、出金紙幣集積処理を終了させてステップＳＫ７へ移行する。
紙幣通過検出センサ２４ｂが最後の紙幣の通過を検出するまでの間は、ステップＳＫ５によるジャム発生の監視を継続する。
【０１０５】
ＳＫ７、出金紙幣の集積を終えた主制御部２は、顧客操作部４の画面に紙幣や取引カード、明細票の受取りを促す旨の文言を表示した紙幣等受取依頼画面を表示し、集積部１３に集積した紙幣を分離部１２へ移動させ、接客口１１のシャッタ１５を開放すると共に、取引内容を基にカード取扱部５により明細票を印刷して、カード取扱部５から取引カードや明細票を排出する。
【０１０６】
ＳＫ８、その後、主制御部２は、顧客がこれらを受取ったことを確認したら出金取引処理を終了させ、接続子Ｚを介して図１０のステップＳ５へ移行する。顧客がこれらを受取ったことを確認できなかったら、ステップＳＫ９へ移行する。
ＳＫ９、主制御部２は、その時計機能により紙幣等受取依頼画面を表示した時から現在までの待ち時間を計数し、その待ち時間が、記憶部３から読出した紙幣等受取待ち終了判定時間以下のときは、顧客が操作中であると判定してステップＳＫ８へ戻り前記の待機を継続する。
【０１０７】
待ち時間が、当該紙幣等受取待ち終了判定時間より長いときは、顧客が出金取引における出金紙幣等の受取を忘れて帰ったと判定してステップＳＫ２１へ移行する。
上記のようにして、出金取引処理が実行されている場合に、主制御部２がジャムを検出した場合の作動について説明する。
ＳＫ１０、上記ステップＳＫ５において、出金紙幣集積処理中にジャムを検出した主制御部２は、紙幣除去処理プログラムにより、記憶部３に格納されている除去終了判定時間を読出すと共に、出金紙幣搬送路および出金リジェクト紙幣搬送路（図８参照）に残留する残留紙幣の紙幣除去処理を実行する。
【０１０８】
すなわち、主制御部２は、出金紙幣集積処理を中止し、出金紙幣搬送路を接客口１１の集積部１３の方向、つまり出金紙幣の搬送方向と同方向に空転させて、出金紙幣搬送路に残留する残留紙幣を集積部１３へ搬送して集積する。
これと同時に、出金リジェクト紙幣搬送路を出金リジェクト紙幣収納部１９の方向、つまり出金リジェクト紙幣の搬送方向と同方向に空転させて、出金リジェクト紙幣搬送路に残留する残留紙幣を出金リジェクト紙幣収納部１９へ搬送して集積する。
【０１０９】
なお、上記の２つの残留紙幣の集積動作は、順に行うようにしてもよい。
そして、主制御部２は、出金紙幣搬送路および出金リジェクト紙幣搬送路に設けられた各紙幣通過検出センサ２４により上記ステップＳＢ１と同様にして、紙幣除去処理の終了を判定してステップＳＫ１１へ移行する。
ＳＫ１１、残留紙幣を集積部１３および出金リジェクト紙幣収納部１９へ集積した主制御部２は、クリーニング処理プログラムにより、記憶部３に格納されているクリーニング終了判定時間テーブルを読出すと共に、既に繰出した既繰出紙幣の回収処理を実行する。
【０１１０】
すなわち、主制御部２は、集積部１３に集積した紙幣、つまり出金紙幣と残留紙幣を分離部１２へ移動させ、分離部１２から繰出した紙幣を取込紙幣搬送路（図３参照）により一時保留部１７へ搬送し、集積部１３に集積されていた紙幣を全て一時保留部１７に集積する。
次いで、収納紙幣搬送路（図５参照）と出金リジェクト紙幣搬送路とを連結した搬送路２２、つまり搬送路２２ｄ、２２ｃ、２２ａ、２２ｊ、２２ｆ、搬送路２２ｆの紙幣収納部１８ｄと１８ｅとの間の分岐部で分岐した搬送路２２ｈを連結して形成された回収搬送路により、一時保留部１７に集積した紙幣の全てを１枚毎に繰出して出金リジェクト紙幣収納部１９へ搬送して集積し、全ての既繰出紙幣を出金リジェクト紙幣収納部１９に回収する。
【０１１１】
ＳＫ１２、このとき、主制御部２は、上記ステップＳＢ５と同様にして、繰出元の分離部１２の紙幣通過検出センサ２４ｅとその集積先の一時保留部１７の紙幣通過検出センサ２４ｅ、および繰出元の一時保留部１７の紙幣通過検出センサ２４ｅとその集積先の出金リジェクト紙幣収納部１９の紙幣通過検出センサ２４ｋとにより繰出した各紙幣の搬送時間を計数し、その搬送時間により取込紙幣搬送路および回収搬送路に残留する紙幣の有無を判定し、紙幣が残留していないと判定したときは既繰出紙幣の回収処理が正常に終了したことを認識し、既繰出紙幣の回収処理を終了させてステップＳＫ１３へ移行する。
【０１１２】
取込紙幣搬送路および回収搬送路に重度のジャム紙幣が残留していると判定したときは既繰出紙幣の回収処理が正常に終了しなかったことを認識し、既繰出紙幣の回収処理を終了させてステップＳＫ１９へ移行する。
ＳＫ１３、既繰出紙幣の回収を終えた主制御部２は、第７のクリーニング処理を実行する。
【０１１３】
すなわち、主制御部２は、紙幣収納部１８ａから１枚の紙幣を繰出し、出金紙幣搬送路により集積部１３へ搬送して集積する。
ＳＫ１４、このとき、主制御部２は、上記ステップＳＢ５と同様にして、繰出元の紙幣収納部１８ａの紙幣通過検出センサ２４ｆと集積部１３の紙幣通過検出センサ２４ｂとにより繰出した１枚の紙幣の搬送時間を計数し、その搬送時間により出金紙幣搬送路に残留する紙幣の有無を判定し、紙幣が残留していないと判定したときは第７のクリーニング処理が正常に終了したことを認識し、クリーニング処理を終了させてステップＳＫ１５へ移行する。
【０１１４】
出金紙幣搬送路に重度のジャム紙幣が残留していると判定したときはクリーニング処理が正常に終了しなかったことを認識し、クリーニング処理を終了させてステップＳＫ１９へ移行する。
ＳＫ１５、第７のクリーニング処理が正常に終了したことを認識した主制御部２は、ステップＳＫ１３で第７のクリーニング処理に用いた１枚のクリーニング紙幣の回収処理を実行する。
【０１１５】
すなわち、主制御部２は、集積部１３に集積したクリーニング紙幣を分離部１２へ移動させ、このクリーニング紙幣を、上記ステップＳＫ１１と同様にして、取込紙幣搬送路により一時保留部１７へ搬送し、回収搬送路により出金リジェクト紙幣収納部１９へ搬送して回収する。
ＳＫ１６、このとき、主制御部２は、上記ステップＳＫ１２と同様にして、取込紙幣搬送路および回収搬送路に残留する紙幣の有無を判定し、紙幣が残留していないと判定したときはクリーニング紙幣の回収処理が正常に終了したことを認識し、クリーニング紙幣の回収処理を終了させてステップＳＫ１７へ移行する。
【０１１６】
取込紙幣搬送路および回収搬送路に重度のジャム紙幣が残留していると判定したときはクリーニング紙幣の回収処理が正常に終了しなかったことを認識し、クリーニング紙幣の回収処理を終了させてステップＳＫ１９へ移行する。
ＳＫ１７、クリーニング紙幣の回収を終えた主制御部２は、第８のクリーニング処理を実行する。
【０１１７】
すなわち、主制御部２は、紙幣収納部１８ａから１枚の紙幣を繰出し、出金紙幣搬送路と出金リジェクト紙幣搬送路とを連結した搬送路２２、つまり搬送路２２ｆ、２２ｊ、２２ａ、２２ｄ、搬送路２２ｄから分岐した搬送路２２ｇ、２２ｆ、２２ｈを連結して形成された搬送路２２により集積部１３へ搬送して集積する。
ＳＫ１８、このとき、主制御部２は、上記ステップＳＢ５と同様にして、繰出元の紙幣収納部１８ａの紙幣通過検出センサ２４ｆと集積先の出金リジェクト紙幣収納部１９の紙幣通過検出センサ２４ｋとにより繰出した１枚の紙幣の搬送時間を計数し、その搬送時間により前記搬送路２２に残留する紙幣の有無を判定し、前記搬送路２２に重度のジャム紙幣が残留していると判定したときはクリーニング処理が正常に終了しなかったことを認識し、クリーニング処理を終了させてステップＳＫ１９へ移行する。
【０１１８】
前記搬送路２２に紙幣が残留していないと判定したときは第８のクリーニング処理が正常に終了したことを認識し、クリーニング処理を終了させ、接続子Ｌを介して上記ステップＳＫ４へ戻り、再度、出金紙幣集積処理の実行を開始する。
上記の既繰出紙幣およびクリーニング紙幣の回収処理、並びに第７および第８のクリーニング処理により、出金紙幣集積処理に用いた搬送路２２および紙幣除去処理に用いた搬送路２２に紙幣が残留していないことが確認される。
【０１１９】
この場合に、第７および第８のクリーニング処理を先に実行して出金紙幣集積処理に用いた搬送路２２および紙幣除去処理に用いた搬送路２２に紙幣が残留していないことが確認し、その後に既繰出紙幣およびクリーニング紙幣の回収処理を実行するようにしてもよい。このようにすれば、既繰出紙幣の回収処理のときに、同時にクリーニング紙幣を回収することが可能になる。
【０１２０】
その後のステップＳＫ１９、ＳＫ２０の作動は、上記ステップＳＢ１０、ＳＢ１１の作動と同様であるので、その説明を省略する。
ＳＫ２１、顧客が出金紙幣等の受取を忘れて帰ったと判定した主制御部２は、接客部１１の集積部１３に集積されている顧客が出金した出金紙幣を取忘れ紙幣収納部２０に集積して収納する出金取忘れ紙幣取込処理の実行を開始する。
【０１２１】
すなわち、主制御部２は、接客部１１の集積部１３に集積されている紙幣を可倒式の仕切板１４を倒して分離部１２へ移動して繰出し、出金取忘れ紙幣搬送路（図９参照）により鑑別部１６を通過させて取忘れ紙幣収納部２０に集積して収納する。
ＳＫ２２、これと並行して、主制御部２は、出金取忘れ紙幣搬送路に設けられた各紙幣通過検出センサ２４の間を、紙幣が順次に通過する際の搬送時間によりジャムの発生を検出したときは、接続子Ｍを介して図１７のステップＳＭ１へ移行する。ジャムの発生を検出しない場合はステップＳＫ２３へ移行する。
【０１２２】
ＳＫ２３、主制御部２は、分離部１２の紙幣通過検出センサ２４ａが紙幣の通過を検出しなくなってから、順次にその紙幣の通過を出金取忘れ紙幣搬送路に設けられた紙幣通過検出センサ２４により監視し、取忘れ紙幣収納部２０の紙幣通過検出センサ２４ｍがその紙幣の通過を検出したときに、出金取忘れ取込紙幣の収納の終了を判定し、出金取忘れ紙幣取込処理を終了させて接続子Ｚを介して図１０のステップＳ５へ移行する。紙幣通過検出センサ２４ａが紙幣の通過を検出し続けている場合は、前記の収納の終了までステップＳＫ２２によるジャム発生の監視を継続する。
【０１２３】
このようにして、本実施例の出金紙幣集積処理のジャム検出時における紙幣除去処理およびクリーニング処理が行われる。
なお、上記の出金取引処理では、紙幣収納部１８ａから出金紙幣を繰出す場合を例に説明したが、他の紙幣収納部１８ｂ〜１８ｄの場合も同様である。
以下に、図１７にＳＭで示すステップに従って、本実施例の出金取忘れ紙幣取込処理における紙幣除去処理およびクリーニング処理について説明する。
【０１２４】
ＳＭ１、ステップＳＫ２２（図１６）において、出金取忘れ紙幣取込処理中にジャムを検出し、接続子Ｍを介して移行した主制御部２は、紙幣除去処理プログラムにより、記憶部３に格納されている除去終了判定時間を読出すと共に、出金取忘れ紙幣搬送路（図９参照）に残留する残留紙幣の紙幣除去処理を実行する。
すなわち、主制御部２は、出金取忘れ紙幣取込処理を一旦停止し、出金取忘れ紙幣搬送路を分離部１２の方向、つまり出金紙幣を収納する搬送方向とは逆方向に空転させて、残留紙幣を分離部１２へ搬送して集積する。
【０１２５】
そして、主制御部２は、出金取忘れ紙幣搬送路に設けられた各紙幣通過検出センサ２４により、上記ステップＳＢ１と同様にして、紙幣除去処理の終了を判定してステップＳＭ２へ移行する。
ＳＭ２、残留紙幣の分離部１２への集積を終えた主制御部２は、クリーニング処理プログラムにより、記憶部３に格納されているクリーニング終了判定時間テーブルを読出すと共に、第９のクリーニング処理を実行する。
【０１２６】
すなわち、主制御部２は、分離部１２に集積されている紙幣を１枚繰出し、出金取忘れ紙幣搬送路により取忘れ紙幣収納部２０へ搬送して集積する。
ＳＭ３、このとき、主制御部２は、上記ステップＳＫ２２と同様にして、繰出元の分離部１２の紙幣通過検出センサ２４ａと集積先の取忘れ紙幣収納部２０の紙幣通過検出センサ２４ｍとにより繰出した１枚の紙幣の搬送時間を計数し、その搬送時間により出金取忘れ紙幣搬送路に残留する紙幣の有無を判定し、出金取忘れ紙幣搬送路に重度のジャム紙幣が残留していると判定したときはクリーニング処理が正常に終了しなかったことを認識し、クリーニング処理を終了させてステップＳＭ４へ移行する。
【０１２７】
紙幣が残留していないと判定したときはクリーニング処理が正常に終了したことを認識し、出金取忘れ紙幣取込処理を再開するために、接続子Ｎを介して図１６のステップＳＫ２３へ移行し、分離部１２に集積されている紙幣の出金取忘れ紙幣搬送路による取忘れ紙幣収納部２０への集積を再開し、ジャムの発生を監視しながら分離部１２に集積されている全ての紙幣を取忘れ紙幣収納部２０へ集積する。
【０１２８】
上記の第９のクリーニング処理により、出金取忘れ紙幣取込処理に用いた搬送路２２および紙幣除去処理に用いた搬送路２２に紙幣が残留していないことが確認される。
その後のステップＳＭ４、ＳＭ５の作動は、上記ステップＳＢ１０、ＳＢ１１の作動と同様であるので、その説明を省略する。
このようにして、本実施例の出金取忘れ紙幣取込処理のジャム検出時における紙幣除去処理およびクリーニング処理が行われる。
【０１２９】
なお、上記ステップＳＢ１（図１２）、ＳＣ１（図１３）、ＳＫ１０（図１６）においては、紙幣除去処理のときに搬送路２２を元の搬送方向に空転させるとして説明したが、逆方向に１枚分空転させた後に元の搬送方向に空転させるようにしてもよい。このようにすれば、重度のジャム紙幣の場合においても、その皺を伸ばして元の搬送方向への搬送が可能になる場合があり、紙幣入出金機７の運用中止の回数を低減して、現金自動預払機１の稼動効率を更に向上させることができると共に、係員の負担を更に軽減させることができる。
【０１３０】
以上説明したように、本実施例では、入金取引および出金取引におけるジャムの検出時の紙幣除去処理やその後のクリーニング処理を、入金取引の紙幣取込処理に用いる取込紙幣搬送路と入金リジェクト紙幣搬送路、入金取引の紙幣返却処理に用いる第１および第２の返却紙幣搬送路、入金取引の紙幣収納処理に用いる収納紙幣搬送路、入金取引の入金取忘れ紙幣取込処理に用いる入金取忘れ紙幣搬送路、出金取引の出金紙幣集積処理に用いる出金紙幣搬送路と出金リジェクト紙幣搬送路、出金取引の出金取忘れ紙幣取込処理に用いる出金取忘れ紙幣搬送路を用いて行うことができるので、特別な収納部を設けずに、ジャムが検出された処理における搬送路の残留紙幣の除去、および除去後に紙幣が残留していないことの確認を自動的に行うことができ、現金自動預払機を大型化させることなく、ジャムの検出時における搬送路の残留紙幣の除去や除去後に紙幣が残留していないことの確認の自動化を容易に図ることができる。
【０１３１】
なお、上記実施例においては、本発明を、入金された紙幣を出金に循環使用しないタイプの紙幣入出金機を有する現金自動預払機に適用した場合を例に説明したが、入金された紙幣を出金に循環使用するタイプの紙幣入出金機を有する現金自動預払機に適用しても同様の効果を得ることができる。
また、上記実施例においては、自動取引装置は現金自動預払機であるとして説明したが、自動取引装置は前記に限らず、発券機や自動販売機等であってもよい。要は紙幣を取扱う自動取引装置であればどのような自動取引装置に適用しても本発明と同様の効果を得ることができる。
【０１３２】
更に、上記実施例においては、紙幣を取扱う場合を例に説明したが、硬貨入出金機等の硬貨を取扱う場合に適用することも可能である。
【図面の簡単な説明】
【０１３３】
【図１】実施例の現金自動預払機を示すブロック図
【図２】実施例の紙幣入出金機の内部構成を示す概略側面図
【図３】実施例の取込紙幣搬送路および入金リジェクト紙幣搬送路を示す説明図
【図４】実施例の第１の返却紙幣搬送路を示す説明図
【図５】実施例の収納紙幣搬送路を示す説明図
【図６】実施例の入金取忘れ紙幣搬送路を示す説明図
【図７】実施例の第２の返却紙幣搬送路を示す説明図
【図８】実施例の出金紙幣搬送路および出金リジェクト紙幣搬送路を示す説明図
【図９】実施例の出金取忘れ紙幣搬送路を示す説明図
【図１０】実施例の現金自動預払機の業務処理を示すフローチャート
【図１１】実施例の入金取引処理を示すフローチャート
【図１２】実施例の紙幣取込処理における紙幣除去処理およびクリーニング処理を示すフローチャート
【図１３】実施例の紙幣返却処理における紙幣除去処理およびクリーニング処理を示すフローチャート
【図１４】実施例の紙幣収納処理における紙幣除去処理およびクリーニング処理を示すフローチャート
【図１５】実施例の入金取忘れ紙幣取込処理における紙幣除去処理およびクリーニング処理を示すフローチャート
【図１６】実施例の出金取引処理、並びに紙幣除去処理およびクリーニング処理を示すフローチャート
【図１７】実施例の出金取忘れ紙幣取込処理における紙幣除去処理およびクリーニング処理を示すフローチャート
【符号の説明】
【０１３４】
１    現金自動預払機
２    主制御部
３    記憶部
４    顧客操作部
５    カード取扱部
６    通帳取扱部
７    紙幣入出金機
８    硬貨入出金機
９    係員操作部
１１  接客口
１２  分離部
１３  集積部
１４  仕切板
１５  シャッタ
１６  鑑別部
１７  一時保留部
１８、１８ａ〜１８ｅ  紙幣収納部
１９  出金リジェクト紙幣収納部
２０  取忘れ紙幣収納部
２２、２２ａ〜２２ｊ  搬送路
２４、２４ａ〜２４ｋ、２４ｍ  紙幣通過検出センサ
【図１】
2008065563.tif 000003
【図２】
2008065563.tif 000004
【図３】
2008065563.tif 000005
【図４】
2008065563.tif 000006
【図５】
2008065563.tif 000007
【図６】
2008065563.tif 000008
【図７】
2008065563.tif 000009
【図８】
2008065563.tif 000010
【図９】
2008065563.tif 000011
【図１０】
2008065563.tif 000012
【図１１】
2008065563.tif 000013
【図１２】
2008065563.tif 000014
【図１３】
2008065563.tif 000015
【図１４】
2008065563.tif 000016
【図１５】
2008065563.tif 000017
【図１６】
2008065563.tif 000018
【図１７】
2008065563.tif 000019